(57)【要約】【課題】  現在時刻以降の番組の一覧表に加えて、更に現在時刻より過去の番組であってＶＯＤやＮＶＯＤ等で視聴することが可能な番組についても同じ一覧表に加えて電子番組表として表示させることができる放送受信装置を提供する。【解決手段】  本発明の放送受信装置は、放送により送られた番組の電子番組ガイド情報を受信する第１の電子番組ガイド情報受信手段と、前記番組が放送された後、この番組のネットワークから入手するための接続先を含む電子番組ガイド情報を受信する第２の電子番組ガイド情報受信手段と、前記第１の電子番組ガイド情報受信手段および前記第２の電子番組ガイド情報受信手段からそれぞれ得られた前記電子番組ガイド情報から１つの電子番組ガイドを生成して表示手段に出力する電子番組ガイド出力手段とを備えたことを特徴とする。【選択図】      図３
2008022411.tif 000002
【特許請求の範囲】
【請求項１】
放送により送られた番組の電子番組ガイド情報を受信する第１の電子番組ガイド情報受信手段と、
前記番組が放送された後、この番組のネットワークから入手するための接続先を含む電子番組ガイド情報を受信する第２の電子番組ガイド情報受信手段と、
前記第１の電子番組ガイド情報受信手段および前記第２の電子番組ガイド情報受信手段からそれぞれ得られた前記電子番組ガイド情報から１つの電子番組ガイドを生成して表示手段に出力する電子番組ガイド出力手段とを備えたことを特徴とする放送受信装置。
【請求項２】
前記電子番組ガイド出力手段は、ビデオ・オン・デマンドにより視聴可能な番組についてはその旨を識別可能に前記電子番組ガイドを生成することを特徴とする請求項１記載の放送受信装置。
【請求項３】
更に、前記出力手段により出力された電子番組ガイド情報に対して、ユーザがビデオ・オン・デマンドにより視聴可能な番組について選択したとき、放送波とビデオ・オン・デマンドのいずれの方法にて前記番組を視聴するかを問い合わせるＧＵＩを生成する手段と、
このＧＵＩ生成手段に対するユーザの操作に応じた方式にて前記番組を取得し前記表示手段に表示するために出力する番組出力手段を備えたことを特徴とする請求項１記載の放送受信装置。
【請求項４】
更に、前記出力手段が出力した電子番組ガイドを表示する表示手段を備えたことを特徴とする請求項１乃至３のいずれか１項記載の放送受信装置。
【請求項５】
放送により送られた番組の電子番組ガイド情報を第１の電子番組ガイド情報受信手段により受信し、
前記番組が放送された後、この番組のネットワークから入手するための接続先を含む電子番組ガイド情報を第２の電子番組ガイド情報受信手段により受信し、
前記第１の電子番組ガイド情報受信および前記第２の電子番組ガイド情報受信から１つの電子番組ガイドを生成して表示手段に出力することを特徴とする放送受信方法。
【発明の詳細な説明】
【技術分野】
【０００１】
この発明は、放送受信装置および放送受信方法に関し、特に放送およびネットワークからの番組を受信することが可能な放送受信装置および放送受信方法に関する。
【背景技術】
【０００２】
従来の放送受信装置においては、例えば現在時刻が７月１１日２：００前であるとすると、ＥＰＧ表示は現在時刻を基準として、現在時刻以降の番組の一覧表を提示している。
【０００３】
また、放送によるＥＰＧとビデオ・オン・デマンド（ＶＯＤ）などをタグ別のＧＵＩで表示している放送受信装置もある（例えば、特許文献１参照）。
【特許文献１】特開２００４−２６６７９９号公報
【発明の開示】
【発明が解決しようとする課題】
【０００４】
従来の放送受信装置においては、現在時刻以降の番組の一覧表に加えて、更に現在時刻より過去の番組であってＶＯＤやＮＶＯＤ（ニア・ビデオ・オン・デマンド）等で視聴することが可能な番組や現在時刻より将来放送される予定の番組であってＶＯＤやＮＶＯＤ等で視聴することが可能な番組についても同じ一覧表に加えて電子番組表として表示させることは行われていない。よってこのように表示した電子番組表を用いて番組を選択することができないという問題があった。
【０００５】
この発明は、現在時刻以降の番組の一覧表に加えて、更に現在時刻より過去の番組であってＶＯＤやＮＶＯＤ等で視聴することが可能な番組や現在時刻より将来放送される予定の番組であってＶＯＤやＮＶＯＤ等で視聴することが可能な番組についても同じ一覧表に加えて電子番組表として表示させ、番組を選局することができる放送受信装置を提供することを目的とする。
【課題を解決するための手段】
【０００６】
上記の目的を達成するために、この発明においては、放送により送られた番組の電子番組ガイド情報を受信する第１の電子番組ガイド情報受信手段と、前記番組が放送された後、この番組のネットワークから入手するための接続先を含む電子番組ガイド情報を受信する第２の電子番組ガイド情報受信手段と、前記第１の電子番組ガイド情報受信手段および前記第２の電子番組ガイド情報受信手段からそれぞれ得られた前記電子番組ガイド情報から１つの電子番組ガイドを生成して表示手段に出力する電子番組ガイド出力手段とを備えたことを特徴とする放送受信装置を提供する。
【０００７】
また、上記の目的を達成するために、この発明においては、放送により送られた番組の電子番組ガイド情報を第１の電子番組ガイド情報受信手段により受信し、前記番組が放送された後、この番組のネットワークから入手するための接続先を含む電子番組ガイド情報を第２の電子番組ガイド情報受信手段により受信し、前記第１の電子番組ガイド情報受信および前記第２の電子番組ガイド情報受信から１つの電子番組ガイドを生成して表示手段に出力することを特徴とする放送受信方法を提供する。
【０００８】
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【０００９】
この発明によれば、現在時刻以降の番組の一覧表に加えて、更に現在時刻より過去の番組であってＶＯＤやＮＶＯＤ等で視聴することが可能な番組や現在時刻より将来放送される予定の番組であってＶＯＤやＮＶＯＤ等で視聴することが可能な番組についても同じ一覧表に加えて電子番組表として表示させることができる。
【発明を実施するための最良の形態】
【００１０】
以下、図面を参照しながら本発明の実施形態について説明する。
（第１の実施形態）
図１は、この発明を適用したデジタルテレビジョン放送受信装置１１１の外観と、このデジタルテレビジョン放送受信装置１１１を中心として構成されるネットワークシステムの一例を概略的に示している。
【００１１】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１２】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１３】
さらに、このデジタルテレビジョン放送受信装置１１１には、例えば契約情報等の記録された第２のメモリカード（ＩＣカード）１２０が着脱可能となっており、この第２のメモリカード１２０に対して前記契約情報等の情報の記録再生が行なわれるようになっている。
【００１４】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１５】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１６】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１７】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバ１２８、ＨＤＤ内蔵のＤＶＤ（Digital Versatile Disk）レコーダ１２９等の機器を接続し、これらの機器と情報伝送を行なうために使用される。
【００１８】
なお、コンテンツサーバ１２８については、家庭内ネットワークにおいてコンテンツのサーバ機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００１９】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２０】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバ１３３や携帯電話１３４等と情報伝送を行なうために使用される。
【００２１】
なお、コンテンツサーバ１３３についてはコンテンツのサーバ機器として動作するための機能を持ち、さらにコンテンツのアクセスに必要なＵＲＩ情報を提供するサービスを備えたＵＰｎＰ対応機器として構成される。
【００２２】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２３】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２４】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２５】
チューナ２４５ａは、制御部２６１からの制御信号により所望のチャンネルの放送信号を選局し、この選局された放送信号をＰＳＫ（Phase Shift Keying）復調器２４５ｂに出力する。
【００２６】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２７】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内の図示しないＳＴＤバッファ２４７ｆへ出力する。
【００２８】
また、ＴＳ復号器２４５ｃは、デジタル放送により送られているセクション情報を信号処理部２４７内の図示しないセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００２９】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００３０】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３１】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００３２】
また、ＴＳ復号器２５０ｃは、デジタル放送により送られているセクション情報をセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３３】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００３４】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００３５】
グラフィック処理部２５４は、（１）信号処理部２４７内の図示しないＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００３６】
また、字幕放送による字幕を表示するとき、グラフィック処理部２５４は、制御部２６１からの制御による字幕情報に基づき、映像信号上に字幕情報を重畳する処理を行う。
【００３７】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３８】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００３９】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００４０】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４１】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送を行なうことができる。
【００４２】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送を行なうことができる。
【００４３】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送を行なうことができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４４】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送を行なうことができる。
【００４５】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送を行なうことができる。
【００４６】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送を行なうことができる。
【００４７】
ところで、この実施形態では、ＨＤＤ１２５に初期登録時のＨＤＤ１２５、ＨＤＤ１２７、コンテンツサーバ１２８、ＤＶＤレコーダ１２９それぞれに割り当てられたストレージＩＤ（ＩＰアドレス、機器名を含む）を記述した登録ファイルを記憶保持している。
【００４８】
また、不揮発性メモリ２６１ｃに、ＨＤＤ１２５、ＨＤＤ１２７、コンテンツサーバ１２８、ＤＶＤレコーダ１２９それぞれのストレージＩＤを記憶している。
また、制御部２６１は、この発明に係わる機能として、ＵＰｎＰを利用した（１）サーバ機器発見機能２６１ｄと、（２）ＵＰｎＰを利用したコンテンツ情報取得機能２６１ｅと、（３）コンテンツアクセス制御機能２６１ｆとを備えている。
【００４９】
（１）制御部２６１は、サーバ機器発見機能２６１ｄにより、ＵＰｎＰのディスカバリ機能を用いてネットワーク上のＵＰｎＰ対応機器を発見する。例えばサーバ機器発見機能２６１ｄは、ＵＰｎＰのディスカバリ機能を用いてコンテンツサーバ１２８を発見する。
【００５０】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバ１２８をコントロールし、コンテンツサーバ１２８内のＨＤＤ等に蓄積されているコンテンツをアクセスするために必要なＵＲＩ情報をコンテンツサーバ１２８から取得する。
【００５１】
（３）制御部２６１は、コンテンツアクセス制御機能２６１ｆにより、サーバ機器発見機能２６１ｄにより取得したサーバ機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５２】
図３（ａ）は、本発明のＥＰＧ画面の例を示す図である。図３（ｂ）は従来のＥＰＧである。
本発明では番組は放送信号のみならず、ネットワークも通じて既に番組の送出が終了している番組や現在時刻より将来放送される予定の番組であってＶＯＤやＮＶＯＤ等で視聴することが可能な番組に関する情報についても提供することとする。従って、ＥＰＧも現在時刻以降のものを提示するのではなく、放送信号としては既に番組の送出が終了しているものも含めＥＰＧ提示をし、視聴者が番組を選択することができるＥＰＧを提供するものである。図３（ａ）において、網掛けをした番組が、ＶＯＤやＮＶＯＤ等で視聴することが可能な番組である。
【００５３】
例えば図３（ａ）において、「＊＊放送」に関しては、現在時刻では「番組１３」という名称の番組を放送中であるが、過去の「番組１１」、「番組１２」という番組や、現在途中まで放送を終了している「番組１３」についてもネットワークを通じてＥＰＧ情報を入手してＥＰＧ提示している。ただし「番組１１」、「番組１２」、「番組１３」に関しては「ＮＶＯＤ」という表示がある。この「ＮＶＯＤ」はニア・ビデオ・オン・デマンドの略であり、ニア・ビデオ・オン・デマンド・サービスしていることをＥＰＧにて提示しているものである。
【００５４】
次に図３（ａ）に示す本発明のＥＰＧの生成方法について説明する。
図３（ｂ）に示す従来のＥＰＧはＥＰＧ用の情報（放送信号のＰＳＩ／ＳＩ）を使用し、前記制御部２６１にて画像生成処理されたものであり、現在放送中の番組以降を表示するものである。即ちこの図３（ｂ）に示す状態では、本発明の図３（ａ）と比較するとわかるように、「番組３２」の表示は無いし、「番組３３」、「番組３４」、「番組３５」がＶＯＤされている表示も無い、また「番組１１」、「番組１２」の表示は無いし、「番組１３」がＮＶＯＤされている表示も無い。これらの表示に必要な情報は、従来のＥＰＧ用の情報（放送信号のＰＳＩ／ＳＩ）とは別に提供されるものとする。
【００５５】
別に提供されるとは例えば（１）ネットワークによる方法、（２）ＥＰＧ用の追加情報（放送信号のＰＳＩ／ＳＩ）による方法などである。
上記（１）ネットワークによる方法とは、情報を提供するサーバを用意し、当該サーバにて以下の情報を提供する。
【００５６】
「＊＊放送」に関しては、
・「番組１１」、「番組１２」、「番組１３」についてＮＶＯＤされていること。
・ＮＶＯＤの方法。例えば別放送チャンネルの場合には当該チャンネルを選局するための情報。例えば、ネットワークでＩＰマルチキャストしている場合には、当該ＩＰマルチキャストしているサーバへアクセスするためのＵＲＩなどアクセス先を示す情報。
【００５７】
「ＴＶ○○」に関しては、
・「番組３２」、「番組３３」、「番組３４」、「番組３５」がＶＯＤされていること。
・ＶＯＤの方法。例えばＶＯＤしているサーバへアクセスするためのＵＲＩなどアクセス先を示す情報。
これら情報を提供するサーバのＵＲＩなどアクセス先に関しては、操作者が直接入力しても良いし、データ放送サービスなど放送信号の付加データとして受信機が取得し、そのデータを表示したものを操作者が選択しても良い。
上記（２）ＥＰＧ用の追加情報（放送信号のＰＳＩ／ＳＩ）とは、現在規定されているＥＰＧ用の情報（放送信号のＰＳＩ／ＳＩ）に追加する形で、以下の情報を提供するように追加情報を定義するものとする。
【００５８】
「＊＊放送」に関しては、
・「番組１１」、「番組１２」、「番組１３」についてＮＶＯＤされていること。
・ＮＶＯＤの方法。例えば別放送チャンネルの場合には当該チャンネルを選局するための情報。例えば、ネットワークでＩＰマルチキャストしている場合には、当該ＩＰマルチキャストしているサーバへアクセスするためのＵＲＩなどアクセス先を示す情報。
【００５９】
「ＴＶ○○」に関しては、
・「番組３２」、「番組３３」、「番組３４」、「番組３５」がＶＯＤされていること。
・ＶＯＤの方法。例えばＶＯＤしているサーバへアクセスするためのＵＲＩなどアクセス先を示す情報。
【００６０】
（ニア・ビデオ・オン・デマンド）
また前記「ＮＶＯＤ」を示すための情報に追加して、さらに「ＮＶＯＤ」サービスを行っている先の情報も付加されるものとする。この「ＮＶＯＤ」サービスを行っている先の情報とは、例えば、「ＮＶＯＤ」サービスを行っている図５のサーバ５４へアクセスするための情報であり、例えばインターネット上のＩＰマルチキャスト放送サービスとして、サービスを行っているサーバのＵＲＩ（Universal Resource Identifier）等の情報である。
【００６１】
ＩＰマルチキャスト放送サービスを行っている図５のサーバ５４では、予め図４に示す「ＮＶＯＤ」サービスのＥＰＧを表示するためのＥＰＧ情報を準備している。
インターネットの接続が可能なデジタルテレビジョン放送受信装置１１１においては、「ＮＶＯＤ」サービスを行っている先の情報を元にＩＰマルチキャスト放送サービスを行っているサーバ５４へ接続し、例えば図４に示すような「ＮＶＯＤ」サービスのＥＰＧを取得して表示する。そしてユーザはこのＥＰＧを用いてサーバ５４からインターネット等のネット経由で、インターネット上のＩＰマルチキャスト放送サービスされている番組についても視聴することができる。
【００６２】
このようにネットワークから得られるＥＰＧ情報については、これまでの放送による番組のＥＰＧ情報の他、インターネット上のＩＰマルチキャスト放送サービスに関するＥＰＧ情報についても送られる。
【００６３】
図４はチャンネル名「＊＊放送」の放送局が過去に放送した番組も含む番組をニア・ビデオ・オン・デマンド・サービスしているＥＰＧ表示の一例である。
例えば、チャンネル名「＊＊放送」地上や衛星放送などオン・エアによる放送により７月１０日の２１：３０から２２：００の間で放送した番組名「番組１」を、インターネット上のＩＰマルチキャスト放送サービスのチャンネル名「ＮＶＯＤ１１」と「ＮＶＯＤ１２」では、チャンネル名「ＮＶＯＤ１１」では２２：００から繰り返し放送開始し、チャンネル名「ＮＶＯＤ１２」では２２：３０から繰り返し放送開始するというニア・ビデオ・オン・デマンド・サービスを行っている。また、番組名「番組２」，「番組３」に関しては、それぞれインターネット上のＩＰマルチキャスト放送サービスのチャンネル名「ＮＶＯＤ２」と「ＮＶＯＤ３」において、繰り返し放送サービスを行っているという例である。
【００６４】
例えば、現在の時刻が図４に示すように７月１１日０１：３０に近い時間であるとすると、視聴者はチャンネル名「ＮＶＯＤ１２」を選択することにより番組名「番組１」をほぼ最初から視聴することが可能となる。
【００６５】
以上説明した例では、ニア・ビデオ・オン・デマンド・サービスをインターネット上のＩＰマルチキャスト放送サービスとして行っている例として説明したが、他の放送チャンネルで実施されていても同様な効果が得られるのは当然である。その場合にはニア・ビデオ・オン・デマンド・サービスを実施している放送のネットワーク（ＮＩＴ）の情報や、チャンネルの情報がニア・ビデオ・オン・デマンド・サービスを行っている先の情報として、従来のＥＰＧ用の情報（放送信号のＰＳＩ／ＳＩ）に追加する情報として送付するものとする。
【００６６】
（ビデオ・オン・デマンド）
再度、図３（ａ）に戻り説明を続ける。
図３（ａ）において、チャンネル名「××ＴＶ」に関しては、現在放送中の番組名「番組２２」以降の番組の表示しかない。これは、このチャンネル名「××ＴＶ」は過去の番組のネットワークも通じたサービスを実施しておらず、従ってＥＰＧも放送からのみ得ているため現在放送中の「番組２２」以降の番組の表示しかないことを示しているものである。
【００６７】
図３（ａ）において、チャンネル名「ＴＶ○○」に関しては、現在、番組名「番組３３」を放送中であるが、過去の番組名「番組３２」についてもＥＰＧ提示している。ただし番組名「番組３２」、「番組３３」、「番組３４」、「番組３５」に関しては「ＶＯＤ」という表示がある。この「ＶＯＤ」はビデオ・オン・デマンドの略であり、ビデオ・オン・デマンド・サービスしていることをＥＰＧにて提示しているものである。なお、番組名「番組３４」、「番組３５」に関しては未来に放送される番組であるが、ビデオ・オン・デマンド・サービスとしては現時点で先に視聴可能であることを示しているものである。このほか番組名「番組３２」より過去の番組に関しては表示がなく、これは番組名「番組３２」より過去の番組はネットワークを通じたビデオ・オン・デマンド等のサービスを実施していないことを示すものである。
【００６８】
この「ＶＯＤ」を示すための情報は、前述の通り（１）ネットワークによる方法、あるいは（２）従来のＥＰＧ用の情報（放送信号のＰＳＩ／ＳＩ）に追加する情報として送付するものとする。また「ＶＯＤ」を示すための情報に追加して、さらに「ＶＯＤ」サービスを行っている先の情報も付加されるものとする。
【００６９】
「ＶＯＤ」サービスを行っている先の情報とは、例えば、「ＶＯＤ」サービスを行っているサーバの情報であり、例えばインターネット上のサービスとして、サービスを行っているサーバのＵＲＩ等の情報である。インターネットの接続が可能な受信機においては、この情報を元に「ＶＯＤ」サービスを行っている図５のサーバ５４へ接続し、「ＶＯＤ」サービスの番組を視聴するものとする。
【００７０】
以上説明した通りこの発明によれば、現在時刻以降の番組の一覧表に加えて、更に現在時刻より過去の番組であってＶＯＤやＮＶＯＤ等で視聴することが可能な番組についても同じ一覧表に加えて電子番組表として表示させることができる。
【００７１】
（第２の実施形態）
この第２の実施形態は第１の実施形態と構成などは同じであるため異なる部分についてのみ説明をする。
図３（ａ）において、チャンネル名「＊＊放送」に関しては番組名「番組１３」以外、チャンネル名「ＴＶ○○」に関しても番組名「番組３３」以外の番組は、既に放送を終了しているか、あるいは未だ放送されていない番組であるため、これらの番組を視聴するためには、その番組のサービスを行っているサーバへインターネット等経由で接続して番組情報を取得し、番組を視聴する必要がある。しかし例えばチャンネル名「ＴＶ○○」の番組名「番組３３」については、現在放送中であり番組の途中から視聴することもできれば、番組名「番組３３」のサービスを行っているサーバへ接続し、番組を視聴することも可能である。
【００７２】
この第２の実施形態では第１の実施形態の変形例として、現在放送中の番組の途中で選局した場合の、受信機の制御方法について、図６を使用して以下説明する。
通常ＥＰＧを使用した番組の選択時には、番組を選択するためのカーソルをリモコン等で動かし、１つの番組を選択後、リモコンの「決定」ボタンを押下すること等により、番組の選択および視聴の実行が行われる。
【００７３】
図６に示した例では、丁度カーソルがチャンネル名「ＴＶ○○」の番組名「番組３３」上にあり、番組名「番組３３」の外枠が太くなることにより、現在ＥＰＧ上では番組名「番組３３」上にカーソルがあることを示している。この場合にリモコンの「決定」ボタンを押下する等により番組名「番組３３」の選択および視聴の実行が行われるが、この第２の実施形態としては、以下のように動作する。
【００７４】
（選択例１）本発明の選択例１としては、リモコンの「決定」ボタンを押下げた場合において、番組名「番組３３」の選択および視聴の実行を行うのではなく、「現在放送中の番組の途中から視聴」と「ＶＯＤ」サービスにより視聴」の選択画面を提示することを特徴とする。なお、「ＶＯＤ」サービスが有料で実施される場合には、選択画面において、その「ＶＯＤ」サービスの視聴料をあわせて提示するものする。
【００７５】
（選択例２）本発明の選択例２としては、リモコンの「決定」ボタンを押下げた場合において、番組名「番組３３」の選択および視聴の実行を行うのではなく、「現在放送中の番組の途中から視聴」と「ＶＯＤ」サービスにより視聴」のデフォルト選択が可能なことを特徴とする。例えば「ＶＯＤ」サービスにより視聴」が予めＴＶの設定としてデフォルト選択されていたら、「ＶＯＤ」サービスを実施しているチャンネルに関しては常に番組の最初から視聴を開始する。これにより番組開始のタイミングで視聴を開始しなくても、常に番組の最初から視聴を開始することが可能となる。
【００７６】
以上説明した通りこの発明によれば、現在時刻以降の番組の一覧表に加えて、更に現在時刻より過去の番組であってＶＯＤやＮＶＯＤ等で視聴することが可能な番組についても同じ一覧表に加えて電子番組表として表示させることができる。
【００７７】
（第３の実施形態）
この第３の実施形態は第１の実施形態と構成などは同じであるため異なる部分についてのみ説明をする。
図３（ａ）において、チャンネル名「＊＊放送」や「ＴＶ○○」に関しては、一部の番組を「ＮＶＯＤ」や「ＶＯＤ」にて視聴できるサービスを提供している。このサービスの提供方法としてネットワークを利用したサービス提供における視聴制御方法を本発明の変形例として、図７および図８を使用して以下説明する。
【００７８】
図７は図５と比べて異なるのはＮＶＯＤサーバやＶＯＤサーバから放送局に情報を伝える経路が用意されているところである。この情報を伝える経路の用途は、ＮＶＯＤサーバやＶＯＤサーバの負荷やＩＰ網（ネットワーク）の混雑など、ネットワークを利用したサービス提供が可能かどうかを示す情報を伝えるためのものである。例えばチャンネル名「ＴＶ○○」の番組名「番組３」と「番組５」への視聴要求が集中し、ＶＯＤサーバの負荷がサービスを提供する限界を超えそうであるとか、ＩＰ網（ネットワーク）の混雑によりサービスを提供の質の低下、すなわち伝送ロスが発生しそうであるとかという状況をＶＯＤサーバにおいて検知した場合に、前記放送局に情報を伝える経路により番組名「番組３３」と「番組３５」のサービス提供休止を指示する。
【００７９】
この指示を受けた放送局では、受信機にサービス提供休止を知らせることにより、受信機側から新たなＶＯＤサービスの要求が発生しないようにするものである。具体的には以下のような方法で実現する。
【００８０】
前述の通り（２）従来のＥＰＧ用の情報（放送信号のＰＳＩ／ＳＩ）に追加する情報として「ＮＶＯＤ」や「ＶＯＤ」サービスを行っていることを示す情報を送付している場合であって、放送局側の都合によりサービス提供休止を知らせる場合に当該休止情報をさらに追加する情報として提供するものである。なおこの場合ＰＳＩ／ＳＩの送出をある程度頻繁に切り替えられる必要がある。
【００８１】
図８はその場合のＥＰＧ表示例であり、番組名「番組３３」と「番組３５」に関してはサービス提供休止を示すための情報が追加されているため、「ＶＯＤ」サービスが実施されているのであるが、通信品質などにより「ＶＯＤ」サービスが利用できないことを示す取り消し線で、その休止状態を示している。
【００８２】
この場合の受信機の動作は以下のようになる。
本発明の例としては、番組名「番組３３」上にカーソルを移動し、「決定」ボタンを押下げた場合において、番組名「番組３３」の選択および視聴の実行のみを行うものとする。すなわち「ＶＯＤ」サービスにより視聴はできないとの情報提供がＥＰＧ用の情報の追加情報として提供されているため、ＶＯＤサービスメニューを提供せず、現在放送中の番組の途中から視聴を開始するものである。なお、番組名「番組３５」上にカーソルを移動し、リモコンの「決定」ボタンを押下げた場合においては、当該番組は放送開始前であるため、「ＶＯＤ」サービスは現在利用不可であり視聴はできないとの表示を行うものとする。
【００８３】
以上説明した通りこの発明によれば、現在時刻以降の番組の一覧表に加えて、更に現在時刻より過去の番組であってＶＯＤやＮＶＯＤ等で視聴することが可能な番組についても同じ一覧表に加えて電子番組表として表示させることができる。
【００８４】
なお、上記各実施例の更なる発展としては、上記に加え、ＶＯＤサーバへのアクセス制限を行うようにしてもよい。例えば放送局側ではＶＯＤサーバへのアクセスが集中した場合など、アクセス禁止情報をＰＳＩ／ＳＩに入れる。この場合ＰＳＩ／ＳＩの送出をある程度頻繁に切り替えられる必要がある。
【００８５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【図面の簡単な説明】
【００８６】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】ＥＰＧ画面の例を示す図。
【図４】チャンネル名「＊＊放送」の放送局が過去に放送した番組も含む番組をニア・ビデオ・オン・デマンド・サービスしているＥＰＧ表示の一例を示す図。
【図５】本発明のシステム全体を説明するための図。
【図６】番組の選択および視聴の実行を説明するための図。
【図７】本発明のシステム全体を説明するための図。
【図８】放送局側の都合によりサービス提供休止を知らせる場合のＥＰＧ表示例を示す図。
【符号の説明】
【００８７】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2008022411.tif 000003
【図２】
2008022411.tif 000004
【図３】
2008022411.tif 000005
【図４】
2008022411.tif 000006
【図５】
2008022411.tif 000007
【図６】
2008022411.tif 000008
【図７】
2008022411.tif 000009
【図８】
2008022411.tif 000010